(57)【要約】【課題】オペレータが地図上で音声出力を実行させる領域をより簡易に指定することが可能な技術を提供する。【解決手段】地図を表示部に表示させる表示制御部と、前記地図における座標を指定座標として指定するための指定操作を受け付ける操作受付部と、を備え、前記表示制御部は、前記地図において前記指定座標に応じた領域に関する情報を前記表示部に表示させる、送信端末が提供される。【選択図】図１
2017041121.tif 000002
【特許請求の範囲】
【請求項１】
地図を表示部に表示させる表示制御部と、
前記地図における座標を指定座標として指定するための指定操作を受け付ける操作受付部と、を備え、
前記表示制御部は、前記地図において前記指定座標に応じた領域に関する情報を前記表示部に表示させる、送信端末。
【請求項２】
前記領域に関する情報は、前記領域の名称である領域名を含む、
請求項１に記載の送信端末。
【請求項３】
前記領域に関する情報は、前記領域を識別するための識別情報を含む、
請求項１に記載の送信端末。
【請求項４】
前記操作受付部は、前記領域に関する情報を選択するための選択操作を受け付け可能であり、
前記表示制御部は、前記領域に関する情報が選択された場合、前記地図における前記領域の範囲を示す情報が表示されるように前記表示部を制御する、
請求項１に記載の送信端末。
【請求項５】
前記操作受付部は、前記領域に関する情報を選択するための選択操作を受け付け可能であり、
前記送信端末は、前記領域に関する情報が選択された場合、前記領域を識別するための識別情報を含んだ所定の送信情報の無線インタフェースによる送信を制御する送信制御部を備える、
請求項１に記載の送信端末。
【請求項６】
前記表示制御部は、前記指定座標に応じた領域が複数存在する場合、複数の前記領域に関する情報を所定の規則に従って配列して前記表示部に表示させる、
請求項１に記載の送信端末。
【請求項７】
前記表示制御部は、前記指定座標に応じた領域が複数存在する場合、複数の前記領域に関する情報を、領域サイズの狭い順に配列して前記表示部に表示させる、
請求項６に記載の送信端末。
【請求項８】
前記表示制御部は、前記指定座標に応じた領域が複数存在する場合、複数の前記領域に関する情報を、領域サイズの広い順に配列して前記表示部に表示させる、
請求項６に記載の送信端末。
【請求項９】
前記表示制御部は、前記指定座標に応じた領域が複数存在する場合、複数の前記領域に関する情報を、領域に関連付けられた重要度の高い順に配列して前記表示部に表示させる、
請求項６に記載の送信端末。
【請求項１０】
前記表示制御部は、前記指定座標に応じた領域が複数存在する場合、複数の前記領域に関する情報を、領域に存在する受信端末の数が多い順、または、領域に存在する受信端末の密度の高い順に配列して前記表示部に表示させる、
請求項６に記載の送信端末。
【請求項１１】
前記表示制御部は、前記地図において前記指定座標を含む領域に関する情報、または、前記地図において前記指定座標に関連付けられた領域に関する情報を前記表示部に表示させる、
請求項１に記載の送信端末。
【請求項１２】
前記表示制御部は、前記領域に関する情報を前記地図の上に重畳表示させ、または、前記領域に関する情報を前記地図の外側に表示させる、
請求項１に記載の送信端末。
【請求項１３】
前記指定座標は、前記地図を拡大する操作によって表示された拡大領域内の座標、または、前記地図を縮小する操作によって表示された縮小領域内の座標である、
請求項１に記載の送信端末。
【請求項１４】
前記送信端末は防災無線操作端末である、請求項１〜１３のいずれか一項に記載の送信端末。
【請求項１５】
地図を表示部に表示させることと、
前記地図における座標を指定座標として指定するための指定操作を受け付けることとを含み、
前記地図において前記指定座標に応じた領域に関する情報を前記表示部に表示させることを含む、送信方法。
【請求項１６】
送信端末と受信端末とを有する通信システムにおいて、
前記送信端末は、
地図を表示部に表示させる表示制御部と、
前記地図における座標を指定座標として指定するための指定操作を受け付ける操作受付部と、を備え、
前記表示制御部は、前記地図において前記指定座標に応じた領域に関する情報を前記表示部に表示させ、
前記操作受付部は、前記領域に関する情報を選択するための選択操作を受け付け可能であり、
前記送信端末は、前記領域に関する情報が選択された場合、前記領域を識別するための識別情報を含んだ所定の送信情報の無線インタフェースによる前記受信端末への送信を制御する送信制御部を備える、
通信システム。
【発明の詳細な説明】
【技術分野】
【０００１】
本発明は、送信端末、送信方法および通信システムに関するものである。
【背景技術】
【０００２】
昨今、音声出力を実行する音声出力装置を決定する技術として様々な技術が存在する。例えば、画面に表示された地図上でオペレータによって所望の領域を囲う操作が行われると、囲われた領域の内部に存在する音声出力装置を１または複数選択する技術が開示されている（例えば、特許文献１参照。）。
【０００３】
また、かかる技術においては、選択した１または複数の音声出力装置それぞれから出力可能な音声の音達範囲のうち、上記所望の領域以外の領域への到達が最も小さくなるような音達範囲を選択する。このようにして選択された音達範囲への音声出力がなされた場合には、上記所望の領域以外の領域に与える騒音を低減することが可能となる。
【先行技術文献】
【特許文献】
【０００４】
【特許文献１】特開２０１３−２３９９５９号公報
【発明の概要】
【発明が解決しようとする課題】
【０００５】
しかし、地図上で所望の領域を囲う操作はオペレータにとって負担となり、オペレータが領域を囲う操作を行うために多くの時間を要してしまうといった状況が起こり得る。特に、オペレータがあまり精通していない領域を地図上で囲う操作を行う場合には、このような状況がより起こり易くなる。
【０００６】
そこで、本発明は、上記問題に鑑みてなされたものであり、本発明の目的とするところは、オペレータが地図上で音声出力を実行させる領域をより簡易に指定することが可能な技術を提供することにある。
【課題を解決するための手段】
【０００７】
上記問題を解決するために、本発明のある観点によれば、地図を表示部に表示させる表示制御部と、前記地図における座標を指定座標として指定するための指定操作を受け付ける操作受付部と、を備え、前記表示制御部は、前記地図において前記指定座標に応じた領域に関する情報を前記表示部に表示させる、送信端末が提供される。
【０００８】
前記領域に関する情報は、前記領域の名称である領域名を含んでよい。
【０００９】
前記領域に関する情報は、前記領域を識別するための識別情報を含んでよい。
【００１０】
前記操作受付部は、前記領域に関する情報を選択するための選択操作を受け付け可能であり、前記表示制御部は、前記領域に関する情報が選択された場合、前記地図における前記領域の範囲を示す情報が表示されるように前記表示部を制御してよい。
【００１１】
前記操作受付部は、前記領域に関する情報を選択するための選択操作を受け付け可能であり、前記送信端末は、前記領域に関する情報が選択された場合、前記領域を識別するための識別情報を含んだ所定の送信情報の無線インタフェースによる送信を制御する送信制御部を備えてよい。
【００１２】
前記表示制御部は、前記指定座標に応じた領域が複数存在する場合、複数の前記領域に関する情報を所定の規則に従って配列して前記表示部に表示させてよい。
【００１３】
前記表示制御部は、前記指定座標に応じた領域が複数存在する場合、複数の前記領域に関する情報を、領域サイズの狭い順に配列して前記表示部に表示させてよい。
【００１４】
前記表示制御部は、前記指定座標に応じた領域が複数存在する場合、複数の前記領域に関する情報を、領域サイズの広い順に配列して前記表示部に表示させてよい。
【００１５】
前記表示制御部は、前記指定座標に応じた領域が複数存在する場合、複数の前記領域に関する情報を、領域に関連付けられた重要度の高い順に配列して前記表示部に表示させてよい。
【００１６】
前記表示制御部は、前記指定座標に応じた領域が複数存在する場合、複数の前記領域に関する情報を、領域に存在する受信端末の数が多い順、または、領域に存在する受信端末の密度の高い順に配列して前記表示部に表示させてよい。
【００１７】
前記表示制御部は、前記地図において前記指定座標を含む領域に関する情報、または、前記地図において前記指定座標に関連付けられた領域に関する情報を前記表示部に表示させてよい。
【００１８】
前記表示制御部は、前記領域に関する情報を前記地図の上に重畳表示させ、または、前記領域に関する情報を前記地図の外側に表示させてよい。
【００１９】
前記指定座標は、前記地図を拡大する操作によって表示された拡大領域内の座標、または、前記地図を縮小する操作によって表示された縮小領域内の座標であってよい。
【００２０】
前記送信端末は防災無線操作端末であってよい。
【００２１】
また、本発明の他の観点によれば、地図を表示部に表示させることと、前記地図における座標を指定座標として指定するための指定操作を受け付けることとを含み、前記地図において前記指定座標に応じた領域に関する情報を前記表示部に表示させることを含む、送信方法が提供される。
【００２２】
また、本発明の他の観点によれば、送信端末と受信端末とを有する通信システムにおいて、前記送信端末は、地図を表示部に表示させる表示制御部と、前記地図における座標を指定座標として指定するための指定操作を受け付ける操作受付部と、を備え、前記表示制御部は、前記地図において前記指定座標に応じた領域に関する情報を前記表示部に表示させ、前記操作受付部は、前記領域に関する情報を選択するための選択操作を受け付け可能であり、前記送信端末は、前記領域に関する情報が選択された場合、前記領域を識別するための識別情報を含んだ所定の送信情報の無線インタフェースによる前記受信端末への送信を制御する送信制御部を備える、通信システムが提供される。
【発明の効果】
【００２３】
以上説明したように本発明によれば、オペレータが地図上で音声出力を実行させる領域をより簡易に指定することが可能となる。
【図面の簡単な説明】
【００２４】
【図１】本発明の実施形態に係る防災無線システムの構成例を示す図である。
【図２】同実施形態に係る親局の機能構成例を示す図である。
【図３】親局の制御部の詳細構成例を示すブロック図である。
【図４】本実施形態に係る子局の機能構成例を示す図である。
【図５】親局の表示部によって表示される画面の一例を示す図である。
【図６】親局の表示部によって表示される画面の一例を示す図である。
【図７】親局の動作の流れの例を示すフローチャートである。
【図８】画面遷移の第一の例を示す図である。
【図９】画面遷移の第一の例を示す図である。
【図１０】画面遷移の第二の例を示す図である。
【図１１】画面遷移の第三の例を示す図である。
【図１２】画面遷移の第四の例を示す図である。
【図１３】各組み合わせの表示の第１の変形例を示す図である。
【図１４】各組み合わせの表示の第２の変形例を示す図である。
【図１５】座標の指定を画面の拡大により実行する例を説明するための図である。
【発明を実施するための形態】
【００２５】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２６】
また、本明細書および図面において、実質的に同一の機能構成を有する複数の構成要素を、同一の符号の後に異なる数字を付して区別する場合もある。また、異なる実施形態の類似する構成要素については、同一の符号の後に異なるアルファベットを付して区別する。ただし、実質的に同一の機能構成を有する複数の構成要素等の各々を特に区別する必要がない場合、同一符号のみを付する。
【００２７】
（システム構成例）
まず、本発明の一実施形態に係る通信システムの構成例について説明する。以下、通信システムとして、防災無線システムを例に挙げ、通信システムを構成する送信端末および受信端末の例として、それぞれ親局および子局を例に挙げて説明する。しかし、本実施形態に係る通信システムは、防災無線システム以外の通信システムであってもよい。また、本実施形態に係る親局は、親局以外の送信端末であってもよく、本実施形態に係る子局は、子局以外の受信端末であってもよい。
【００２８】
図１は、本実施形態に係る防災無線システムの構成例を示す図である。図１に示すように、防災無線システム１は、親局１０と、子局２０−１と、子局２０−２とを備える。親局１０は、典型的には、行政機関である市役所などに設置されるが、親局１０の設置場所は特に限定されない。また、子局２０としては、複数の種類が存在していてよく、図１に示した例では、子局２０−１が、家屋の中に設置される戸別受信機であり、子局２０−２が、家屋の外に設置される拡声子局である。ただし、子局２０の数は、１または複数であれば特に限定されない。
【００２９】
なお、図示はされていないが、親局１０と子局２０−１および子局２０−２との間に、親局１０から送信される送信情報を中継する中継局が存在してもよい。ここで、音声出力を実行する音声出力装置を決定する技術として様々な技術が存在する。例えば、画面に表示された地図上でオペレータによって所望の領域を囲う操作が行われると、囲われた領域の内部に存在する音声出力装置を１または複数選択する技術が開示されている（例えば、特開２０１３−２３９９５９号公報参照。）。
【００３０】
また、かかる技術においては、選択した１または複数の音声出力装置それぞれから出力可能な音声の音達範囲のうち、上記所望の領域以外の領域への到達が最も小さくなるような音達範囲を選択する。このようにして選択された音達範囲への音声出力がなされた場合には、上記所望の領域以外の領域に与える騒音を低減することが可能となる。
【００３１】
しかし、地図上で所望の領域を囲う操作はオペレータにとって負担となり、オペレータが流域を囲う操作を行うために多くの時間を要してしまうといった状況が起こり得る。特に、オペレータがあまり精通していない領域を地図上で囲う操作を行うには、このような状況がより起こり易くなる。そこで、本明細書においては、オペレータが地図上で音声出力を実行させる領域をより簡易に指定することが可能な技術について主に説明する。
【００３２】
以上、本実施形態に係る防災無線システム１の構成例について説明した。
【００３３】
（親局の機能構成例）
続いて、親局１０の機能構成例について説明する。図２は、本実施形態に係る親局１０の機能構成例を示す図である。図２に示すように、親局１０は、操作卓１１０と、表示装置１６０と、無線機１８０とを有する。操作卓１１０は、オペレータが操作するための卓である。また、表示装置１６０は、複数人によって閲覧されることが想定された比較的画面サイズの大きな表示装置である。
【００３４】
無線機１８０は、操作卓１１０から受け渡された送信情報を無線信号により子局２０に送信する。より詳細には、無線機１８０は、無線インタフェース１７０から受け渡された送信情報を所定の周波数に変換し、変換後の送信情報を増幅し、増幅後の送信情報を無線信号により大気中に発信する機能を有する。
【００３５】
また、図２に示すように、操作卓１１０は、表示部１２０と、操作部１３０と、制御部１４０と、記憶部１５０と、無線インタフェース１７０とを備える。
【００３６】
表示部１２０は、オペレータが閲覧する画面を表示する機能を有する。例えば、表示部１２０は、表示装置によって実現されていてよい。例えば、表示装置は、液晶ディスプレイ、有機ＥＬ（Ｅｌｅｃｔｒｏ−Ｌｕｍｉｎｅｓｃｅｎｃｅ）ディスプレイなどによって実現されてよい。しかし、表示部１２０の具体的なハードウェアの種類は、特に限定されない。
【００３７】
操作部１３０は、オペレータによってなされる各種操作を受け付ける機能を有する。例えば、操作部１３０は、入力装置によって実現されていてよい。このとき、入力装置は、キーボード、マウスなどによって実現されてよい。しかし、操作部１３０の具体的なハードウェアの種類は、特に限定されない。
【００３８】
図３は、親局１０の制御部１４０の詳細構成例を示すブロック図である。図３に示すように、制御部１４０は、表示制御部１４１と、操作受付部１４２と、送信制御部１４３とを備え、親局１０の動作を制御する。これらの各ブロックの機能の詳細については後述する。なお、制御部１４０が有する機能は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）などから成るハードウェア構成により実現され得る。
【００３９】
例えば、ＣＰＵは、演算機能および制御機能を有し、各種プログラムに従って親局１０の動作全般を制御する。ＲＯＭは、ＣＰＵが使用するプログラムや演算パラメータなどを記憶する。ＲＡＭは、ＣＰＵの実行において使用するプログラムや、その実行において適宜変化するパラメータなどを一時記憶する。なお、制御部１４０の具体的なハードウェアの種類は、特に限定されない。
【００４０】
図２に戻って説明を続ける。記憶部１５０は、親局１０が動作するためのプログラムや各種データ（例えば、呼び出しＩＤ管理テーブル１５１と、地図データベース１５２など）を記憶する。記憶部１５０が有する機能は、ＨＤＤ（ハードディスクドライブ）、半導体メモリなどから成るハードウェア構成により実現され得る。しかし、記憶部１５０の具体的なハードウェアの種類は、特に限定されない。
【００４１】
無線インタフェース１７０は、制御部１４０と無線機１８０との間に存在する通信インタフェースである。より詳細には、無線インタフェース１７０は、制御部１４０から受け渡された送信情報を、無線機１８０を介して無線信号により子局２０に送信する機能を有する。
【００４２】
以上、親局１０の機能構成例について説明した。
【００４３】
（子局の機能構成例）
続いて、子局２０の機能構成例について説明する。図４は、本実施形態に係る子局２０の機能構成例を示す図である。図４に示すように、子局２０は、無線機２１０と、無線インタフェース２２０と、制御部２３０と、記憶部２４０と、音声出力装置２５０とを有する。
【００４４】
無線機２１０は、親局１０から送信された送信情報を無線信号により受信する機能を有する。また、無線機２１０は、受信した無線信号を無線インタフェース２２０に出力する。より詳細には、無線機２１０は、親局１０から送信された送信情報を無線信号により受信し、受信した無線信号を所定の周波数に変換し、変換後の送信情報を増幅し、増幅後の送信情報を無線インタフェース２２０に出力する。
【００４５】
無線インタフェース２２０は、無線機２１０と制御部２３０との間に存在する通信インタフェースである。より詳細には、無線インタフェース２２０は、無線機２１０から送信された送信情報を、無線機２１０を介して無線信号により親局１０から受信して、制御部２３０に出力する機能を有する。
【００４６】
制御部２３０は、子局２０の動作を制御する。制御部２３０の機能の詳細については後述する。なお、制御部２３０が有する機能は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）などから成るハードウェア構成により実現され得る。
【００４７】
例えば、ＣＰＵは、演算機能および制御機能を有し、各種プログラムに従って子局２０の動作全般を制御する。ＲＯＭは、ＣＰＵが使用するプログラムや演算パラメータなどを記憶する。ＲＡＭは、ＣＰＵの実行において使用するプログラムや、その実行において適宜変化するパラメータなどを一時記憶する。なお、制御部２３０の具体的なハードウェアの種類は、特に限定されない。
【００４８】
記憶部２４０は、子局２０が動作するためのプログラムや各種データを記憶する。記憶部２４０が有する機能は、ＨＤＤ（ハードディスクドライブ）、半導体メモリなどから成るハードウェア構成により実現され得る。しかし、記憶部２４０の具体的なハードウェアの種類は、特に限定されない。
【００４９】
音声出力装置２５０は、制御部２３０の制御に従って音声を出力する。すなわち、音声出力装置２５０は、制御部２３０から出力された音声データに基づいて大気に振動を与えることによって音声を大気中に出力する。例えば、音声出力装置２５０は、スピーカによって実現され得るが、音声出力装置２５０の具体的なハードウェアの種類は特に限定されない。例えば、音声出力装置２５０は、ブザーやベルなどであってもよい。
【００５０】
以上、子局２０の機能構成例について説明した。
【００５１】
（システムの機能詳細）
続いて、防災無線システム１の機能詳細について説明する。まず、親局１０において、表示制御部１４１は、地図データベース１５２から地図を取り出し、取り出した地図を表示部１２０に表示させる。オペレータは、表示部１２０によって表示された地図を閲覧し、地図上に音声出力を実行させたい領域が存在しなければ、地図をスクロールさせ、音声出力を実行させたい領域が存在すれば、その領域の内部の座標を指定する操作を行う。
【００５２】
操作受付部１４２は、地図における座標を指定座標として指定するための指定操作（例えば、タップ操作、クリック操作など）がオペレータによって行われると、オペレータによって行われた指定操作を受け付ける。そして、表示制御部１４１は、地図において指定座標に応じた領域に関する情報を表示部１２０に表示させる。このような構成によれば、オペレータが地図上で音声出力を実行させる領域をより簡易に指定することが可能となる。
【００５３】
領域に関する情報の種類は、特に限定されない。例えば、領域に関する情報は、領域の名称である領域名を含んでいてもよい。また、領域に関する情報は、領域を識別するための識別情報を含んでもよい。以下では、領域に関する情報が、呼び出しＩＤ管理テーブル１５１に登録されており、領域名および識別情報を含んでいる場合を主に例として説明するが、領域に関する情報は、領域名および識別情報のいずれか一方のみを含んでいてもよい。
【００５４】
図５および図６は、親局１０の表示部１２０によって表示される画面の一例を示す図である。図５を参照すると、表示制御部１４１は、地図３０を表示部１２０に表示させている。また、「学校」「市役所」「消防署」「Ｆ公園」それぞれの文字列が地図記号とともに、地図３０における対応する位置に描かれている。例えば、オペレータが、「Ｆ公園」の座標を指定座標として指定するための指定操作を行うと、操作受付部１４２によって指定操作が受け付けられる。
【００５５】
続いて、表示制御部１４１は、指定座標を含む領域に関する情報として、領域名および識別情報の組み合わせ３２−１〜３２−４をウィンドウ３１に表示させる。図５を参照すると、（領域名，識別情報）＝（自治会地区Ｂ，１０１）、（土砂災害警戒区域，３００）、（学校区，２００）、（合併前旧自治体地区，４００）がウィンドウ３１に表示されている。
【００５６】
ここで、操作受付部１４２は、組み合わせを選択するための選択操作（例えば、タップ操作、クリック操作など）を受け付け可能であってよい。そして、表示制御部１４１は、組み合わせが選択された場合、地図３０における領域の範囲を示す情報が表示されるように表示部１２０を制御してよい。図５に示した例では、オペレータが、組み合わせ３２−１を選択するための選択操作を行った結果、表示制御部１４１が、地図３０における領域の範囲を示す情報３４−１を表示部１２０に表示させている。
【００５７】
なお、図５に示した例では、領域の範囲を示す情報３４−１は、地図３０における領域の範囲に対して付される色であるが、領域の範囲を示す情報３４−１は、地図３０における領域の範囲に対して付される色に限定されない。例えば、領域の範囲を示す情報３４−１は、地図３０における領域の範囲に対して施される点滅表示であってもよいし、地図３０における領域の外周を強調するラインであってもよい。すなわち、領域の範囲を示す情報３４−１は、地図３０と区別し得るような何らかの表示態様によって示されればよい。
【００５８】
また、図５に示した例では、組み合わせ３２−１〜３２−４がウィンドウ３１に表示されており、組み合わせの数は４つであるが、組み合わせの数は４つに限定されない。例えば、組み合わせの数は、１または複数であればよい。このとき、組み合わせが複数存在する場合には、複数の組み合わせの配列をどうするかが決められるとよい。例えば、表示制御部１４１は、組み合わせが複数存在する場合、複数の組み合わせを所定の規則に従って配列して表示部１２０に表示させてよい。
【００５９】
図５に示した例では、表示制御部１４１は、組み合わせ３２が複数存在するため（組み合わせ３２−１〜３２−４）、複数の組み合わせ３２を、領域サイズの狭い順に配列して表示部１２０に表示させている。この手法によれば、可能な限り狭い領域から音声出力を実行させたいという要求を満たすことが可能である。図５に示した例では、「自治会地区Ｂ」の領域サイズが最も狭く、「土砂災害警戒区域」の領域サイズが次に狭く、「学校区」の領域サイズが次に狭く、「合併前旧自治体地区」の領域サイズが最も広くなっている。
【００６０】
しかし、複数の組み合わせ３２をどのような順序で配列して表示するかは、かかる例に限定されない。例えば、表示制御部１４１は、指定座標に応じた領域が複数存在する場合、複数の組み合わせ３２を、領域サイズの広い順に配列して表示部１２０に表示させてもよい。この手法によれば、可能な限り広い領域から音声出力を実行させたいという要求があった場合に、その要求を満たすことが可能である。
【００６１】
また、領域にあらかじめ重要度が関連付けられている場合も想定される。かかる場合、表示制御部１４１は、指定座標に応じた領域が複数存在する場合、複数の組み合わせ３２を、領域に関連付けられた重要度の高い順に配列して表示部１２０に表示させてもよい。この手法によれば、あらかじめ決められた重要度の高い領域から音声出力を実行させたいという要求を満たすことが可能である。
【００６２】
また、子局２０の数が少ない領域や、子局２０の密度が低い領域などから音声を出力させるよりも、子局２０の数が多い領域や、子局２０の密度が高い領域などから音声を出力させたほうが、音達範囲が広くなることが予想される。そこで、表示制御部１４１は、指定座標に応じた領域が複数存在する場合、複数の組み合わせ３２を、領域に存在する子局２０の数が多い順、または、領域に存在する子局２０の密度の高い順に配列して表示部１２０に表示させてもよい。
【００６３】
図５に示した例では、組み合わせ３２−１が選択されているが、組み合わせ３２−１を再度選択する選択操作がなされると、操作受付部１４２によってこの選択操作が受け付けられ、図６に示すように、表示制御部１４１によって組み合わせ３２−１の選択が解除されてよい。そして、図６に示すように、組み合わせ３２−２が新たに選択された場合、操作受付部１４２によってこの選択操作が受け付けられ、表示制御部１４１によって組み合わせ３２−２が新たに選択されてよい。
【００６４】
続いて、組み合わせ３２−２が選択されている状態において、呼出開始ボタン３３を選択する開始操作（例えば、タップ操作、クリック操作など）がなされると、操作受付部１４２によって開始操作が受け付けられる。送信制御部１４３は、操作受付部１４２によって開始操作が受け付けられると、選択されている組み合わせ３２−２に含まれる識別情報「３００」と音声とを含んだ情報を送信情報として生成し、生成した送信情報を無線インタフェース１７０および無線機１８０を介して子局２０に送信する。音声は、あらかじめ保存してあってもよいし、逐一オペレータによって入力されてもよい。
【００６５】
子局２０においては、無線インタフェース２２０が、無線機２１０を介して送信情報を受信する。記憶部２４０によってあらかじめ識別情報が記憶されている。制御部２３０は、受信された送信情報に含まれている識別情報が、記憶部２４０によってあらかじめ記憶された識別情報と一致する場合に、送信情報に含まれている音声を音声出力装置２５０に出力させる。これにより、指定座標に応じた領域に存在する音声出力装置２５０からのみ音声が出力される。
【００６６】
以上、防災無線システム１の機能詳細について説明した。
【００６７】
上記では、表示制御部１４１は、地図において指定座標を含む領域に関する情報を表示部１２０に表示させる例を説明した。しかし、地図における指定座標と領域に関する情報との関連性は、かかる例に限定されない。例えば、地図における座標と領域に関する情報とがあらかじめ関連付けられている場合、表示制御部１４１は、指定座標に関連付けられた領域に関する情報を表示部１２０に表示させてもよい。
【００６８】
例えば、図５に示した例では、「Ｆ公園」という文字列の座標に領域に関する情報があらかじめ関連付けられている場合、表示制御部１４１は、「Ｆ公園」という文字列の座標を指定する操作がオペレータによって行われると、「Ｆ公園」という文字列の座標に関連付けられている領域に関する情報を表示部１２０に表示させてもよい。なお、文字列の代わりに、地図上に表示されている他の表示オブジェクト（例えば、シンボルマーク、地図記号など）が用いられてもよい。
【００６９】
（親局の動作）
続いて、親局１０の動作例について説明する。図７は、親局１０の動作の流れの例を示すフローチャートである。なお、図７のフローチャートが示す動作の流れは、親局１０の動作の流れの一例に過ぎないため、親局１０の動作の流れは、図７のフローチャートが示す動作の流れに限定されない。まず、表示制御部１４１は、地図を表示部１２０に表示させる。続いて、操作受付部１４２は、地図における座標が指定されたか否かを判断する（ステップＳ１１）。
【００７０】
操作受付部１４２は、地図における座標が指定されない場合には（ステップＳ１１において「Ｎｏ」）、ステップＳ１１に動作を移行させる。一方、表示制御部１４１は、地図において座標が指定された場合には（ステップＳ１１において「Ｙｅｓ」）、指定された座標を含む領域の名称とＩＤ（識別情報）との組み合わせを領域面積（領域サイズ）が狭い順に画面に表示させる（ステップＳ１２）。
【００７１】
続いて、操作受付部１４２は、組み合わせが選択されたか否かを判断する（ステップＳ１３）。操作受付部１４２は、組み合わせが選択されなかったと判断した場合には（ステップＳ１３において「Ｎｏ」）、呼出開始が選択されたか否かを判断し（ステップＳ１９）、表示制御部１４１は、呼出開始が選択されたと判断された場合には（ステップＳ１９において「Ｙｅｓ」）、通報画面に画面遷移する（ステップＳ２０）。通報画面では、親局１０から送信情報が送信される。一方、操作受付部１４２は、呼出開始が選択されなかったと判断した場合には（ステップＳ１９において「Ｎｏ」）、ステップＳ１３に動作を移行させる。
【００７２】
一方、操作受付部１４２は、組み合わせが選択されたと判断した場合には（ステップＳ１３において「Ｙｅｓ」）、ステップＳ１４に動作を移行させる。続いて、表示制御部１４１は、その組み合わせが選択状態であるか否かを判断する（ステップＳ１４）。表示制御部１４１は、その組み合わせが非選択状態であれば（ステップＳ１４において「Ｎｏ」）、その組み合わせの状態を選択状態に切り替え（ステップＳ１５）、その組み合わせおよび地図における領域の範囲を示す情報の表示態様を切り替える（ステップＳ１６）。
【００７３】
表示制御部１４１は、表示態様を切り替えた後は、動作をステップＳ１３に移行させる。一方、表示制御部１４１は、その組み合わせが選択状態であれば（ステップＳ１４において「Ｙｅｓ」）、その組み合わせの状態を非選択状態に切り替え（ステップＳ１７）、その組み合わせおよび地図における領域の範囲を示す情報の表示態様を元に戻す（ステップＳ１８）。表示制御部１４１は、表示態様を切り替えた後は、動作をステップＳ１３に移行させる。
【００７４】
以上、親局１０の動作例について説明した。
【００７５】
続いて、画面遷移の例を説明する。以降の図面においては、紙面の都合上、上記の組み合わせ３２−１〜３２−４に相当する表示を「Ａ」〜「Ｄ」として示すことにする。図８および図９は、画面遷移の第一の例を示す図である。図８に示した例では、初期画面において、地図３０が表示されている（画面Ｇ１１）。警察署の地図記号を指定する操作がなされると（画面Ｇ１２）、その警察署の位置を含む領域に関する情報（組み合わせＡおよび組み合わせＢ）が表示される（画面Ｇ１３）。
【００７６】
続いて、図９に示すように、組み合わせＡを選択する選択操作が行われると、組み合わせＡに対応する領域の範囲を示す情報３４−１の表示態様が切り替わり（画面Ｇ１４）、呼出開始ボタン３３が表示される（画面Ｇ１５）。続いて、呼出開始ボタン３３が選択されると（画面Ｇ１６）、通報画面に画面遷移がなされ（画面Ｇ１７）、組み合わせＡが有する識別情報が含まれた送信情報が送信される。送信情報の送信が終わると、呼出終了ボタン３５が表示され（画面Ｇ１８）、呼出終了ボタン３５を選択する操作がなされると（画面Ｇ１９）、初期画面Ｇ１１に画面遷移がなされる。
【００７７】
図１０は、画面遷移の第二の例を示す図である。図９には、組み合わせＡを選択する選択操作が行われた場合を示したが、図１０には、組み合わせＢを選択する選択操作が行われた場合を示す。まず、図８を用いて説明した場合と同様に、地図３０における座標が指定座標として指定され、指定座標に応じた領域に関する情報が、組み合わせＡおよび組み合わせＢとして表示される。
【００７８】
図１０に示すように、組み合わせＢを選択する選択操作が行われると、組み合わせＢに対応する領域の範囲を示す情報３４−２の表示態様が切り替わり（画面Ｇ２４）、呼出開始ボタン３３が表示される（画面Ｇ２５）。続いて、呼出開始ボタン３３が選択されると（画面Ｇ２６）、通報画面に画面遷移がなされ（画面Ｇ２７）、組み合わせＢが有する識別情報が含まれた送信情報が送信される。送信情報の送信が終わると、呼出終了ボタン３５が表示され（画面Ｇ２８）、呼出終了ボタン３５を選択する操作がなされると（画面Ｇ２９）、初期画面Ｇ１１に画面遷移がなされる。
【００７９】
図１１は、画面遷移の第三の例を示す図である。図９には、組み合わせＡが選択された場合を示し、図１０には、組み合わせＢが選択された場合を示したが、図１１には、組み合わせＡおよび組み合わせＢの双方が選択される場合を示す。まず、図８を用いて説明した場合と同様に、地図３０における座標が指定座標として指定され、指定座標に応じた領域に関する情報が、組み合わせＡおよび組み合わせＢとして表示される。
【００８０】
図１１に示すように、組み合わせＡを選択する選択操作が行われると、組み合わせＡに対応する領域の範囲を示す情報３４−１の表示態様が切り替わり（画面Ｇ３４）、呼出開始ボタン３３が表示される（画面Ｇ３５）。続いて、組み合わせＢを選択する選択操作が行われると、組み合わせＢに対応する領域の範囲を示す情報３４−２の表示態様が切り替わる（画面Ｇ３５）。
【００８１】
呼出開始ボタン３３が選択されると（画面Ｇ３６）、通報画面に画面遷移がなされ、組み合わせＡおよび組み合わせＢそれぞれが有する識別情報が含まれた送信情報が送信される。送信情報の送信が終わった後の動作は、図９および図１０に示した動作と同様に実行される。
【００８２】
図１２は、画面遷移の第四の例を示す図である。図９〜図１１には、オペレータが地図における座標を一点だけ指定座標として指定する場合を示したが、図１２には、オペレータが地図における座標を二点指定座標として指定する場合を示す。まず、図８を用いて説明した場合と同様に、地図３０における座標が指定座標として指定され、指定座標に応じた領域に関する情報が、組み合わせＡおよび組み合わせＢとして表示される。
【００８３】
図１２に示すように、組み合わせＡを選択する選択操作が行われると、組み合わせＡに対応する領域の範囲を示す情報３４−１の表示態様が切り替わる（画面Ｇ４４）。さらに、地図３０における他の座標が指定されると（画面Ｇ４５）、当該他の座標に応じた領域に関する情報が、組み合わせＣおよび組み合わせＤとして表示される（画面Ｇ４６）。続いて、組み合わせＣを選択する選択操作が行われると、組み合わせＣに対応する領域の範囲を示す情報３４−３の表示態様が切り替わる（画面Ｇ４７）。
【００８４】
この時点において、組み合わせＡおよび組み合わせＣが選択されていることになる。そこで、画面上においても組み合わせＡおよび組み合わせＣが表示されていてよい（画面Ｇ４８）。あるいは、組み合わせＡ〜Ｄがすべて表示され、選択されている組み合わせＡおよび組み合わせＤの表示態様だけが切り替わっていてもよい。
【００８５】
続いて、呼出開始ボタン３３が選択されると（画面Ｇ４９）、通報画面に画面遷移がなされ、組み合わせＡおよび組み合わせＣそれぞれが有する識別情報が含まれた送信情報が送信される。送信情報の送信が終わった後の動作は、図９および図１０に示した動作と同様に実行される。
【００８６】
図１３は、組み合わせＡおよび組み合わせＢの表示の第１の変形例を示す図である。組み合わせＡおよび組み合わせＢを有するウィンドウ３１は、吹き出しによって地図３０の上に重畳表示されてもよい（画面Ｇ５４）。このとき、図１３に示すように、オペレータによって組み合わせＡが選択されている場合、組み合わせＡに対応する領域の範囲から伸びるような吹き出しによってウィンドウ３１が表示されてよい。
【００８７】
図１４は、組み合わせＡおよび組み合わせＢの表示の第２の変形例を示す図である。組み合わせＡおよび組み合わせＢを有するウィンドウ３１は、地図３０の外側に表示されてもよい（画面Ｇ６４）。このとき、図１４に示すように、地図３０は画面全体に広がらず、画面の端部との間に空きスペースを形成してもよい。そして、図１４に示すように、ウィンドウ３１は、このようにして形成された空きスペースに表示されてよい。
【００８８】
図１５は、座標の指定を画面の拡大により実行する例を説明するための図である。上記した例では、オペレータが地図３０における座標を点によって指定する場合を主に説明した。しかし、地図３０における座標は、点によってだけではなく、範囲によって指定されてもよい。例えば、図１５に示すように、オペレータが地図３０を拡大する操作（例えば、ピンチアウトなど）を行い、操作受付部１４２が拡大操作を受け付けたとする。このとき、操作受付部１４２は、この拡大領域３６を指定座標として受け付ける。
【００８９】
続いて、表示制御部１４１は、拡大領域３６が表示されるように表示部１２０を制御する。また、表示制御部１４１は、地図３０において拡大領域３６に応じた領域に関する情報を表示部１２０に表示させる。具体的には、表示制御部１４１は、地図３０において拡大領域３６の内部の座標のいずれかを含む領域に関する情報を表示部１２０に表示させればよい。図１５に示した例では、拡大領域３６の内部の座標のいずれかを含む領域に関する情報として、組み合わせＡ、組み合わせＢおよび組み合わせＥが表示されている。
【００９０】
組み合わせＡ、組み合わせＢおよび組み合わせＥは、自動的に一括選択されてよい。図１５には、組み合わせＡ、組み合わせＢおよび組み合わせＥが、自動的に一括選択され、組み合わせＡ、組み合わせＢおよび組み合わせＥそれぞれに対応して、領域の範囲を示す情報３４−１、３４−２、３４−５が表示されている。しかし、組み合わせＡ、組み合わせＢおよび組み合わせＥは、オペレータの選択操作によって個別に選択可能であってもよい。
【００９１】
なお、図１５には、画面の拡大が実行された場合が例として示したが、画面の縮小が実行された場合にも同様の動作が行われてよい。すなわち、オペレータが地図３０を縮小する操作（例えば、ピンチインなど）を行い、操作受付部１４２が縮小操作を受け付けたとする。このとき、操作受付部１４２は、この縮小領域を指定座標として受け付ける。
【００９２】
続いて、表示制御部１４１は、縮小領域が表示されるように表示部１２０を制御する。また、表示制御部１４１は、地図３０において縮小領域に応じた領域に関する情報を表示部１２０に表示させる。具体的には、表示制御部１４１は、地図３０において縮小領域の内部の座標のいずれかを含む領域に関する情報を表示部１２０に表示させればよい。
【００９３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９４】
例えば、親局１０の動作全体を制御するための制御部１４０は、専用のハードウェアによって構成されてもよいし、親局１０に内蔵されたＣＰＵがＲＯＭに記憶されたプログラムをＲＡＭに展開して実行することにより実現されてもよい。かかるプログラムが提供され得る他、かかるプログラムを記憶させた記憶媒体も提供され得る。
【００９５】
また、例えば、子局２０の動作全体を制御するための制御部２３０は、専用のハードウェアによって構成されてもよいし、子局２０に内蔵されたＣＰＵがＲＯＭに記憶されたプログラムをＲＡＭに展開して実行することにより実現されてもよい。かかるプログラムが提供され得る他、かかるプログラムを記憶させた記憶媒体も提供され得る。
【符号の説明】
【００９６】
１      防災無線システム
１０    親局
２０    子局
１１０  操作卓
１２０  表示部
１３０  操作部
１４０  制御部
１４１  表示制御部
１４２  操作受付部
１４３  送信制御部
１５０  記憶部
１５１  呼び出しＩＤ管理テーブル
１５２  地図データベース
１６０  表示装置
１７０  無線インタフェース
１８０  無線機
２１０  無線機
２２０  無線インタフェース
２３０  制御部
２４０  記憶部
２５０  音声出力装置
【図１】
2017041121.tif 000003
【図２】
2017041121.tif 000004
【図３】
2017041121.tif 000005
【図４】
2017041121.tif 000006
【図５】
2017041121.tif 000007
【図６】
2017041121.tif 000008
【図７】
2017041121.tif 000009
【図８】
2017041121.tif 000010
【図９】
2017041121.tif 000011
【図１０】
2017041121.tif 000012
【図１１】
2017041121.tif 000013
【図１２】
2017041121.tif 000014
【図１３】
2017041121.tif 000015
【図１４】
2017041121.tif 000016
【図１５】
2017041121.tif 000017